(57)【要約】【課題】撮影時にビューファインダに合焦状態を表すグラフ表示等を行うと、撮影の妨げになるという課題がある。【解決手段】被写体像を撮像する撮像装置１０１と、撮像装置１０１の合焦状態に基づき振動するフォーカスアシスト装置１０２とからなる撮像システム１００であって、撮像装置１０１は、フォーカスアシスト装置１０２に対して情報を送信する送信部と、画像処理部が出力する合焦情報を、送信部を用いて送信する制御部と、を備え、フォーカスアシスト装置１０２は、撮像装置１０１が送信する情報を受信する受信部と、受信部で受信した合焦情報に基づき、振動を変化させる振動情報に変換する変換部と、振動情報に基づき振動する振動部と、を備える。【選択図】図１
2011091659.tif 000002
【特許請求の範囲】
【請求項１】
被写体像を撮像する撮像装置と、前記撮像装置の合焦状態に基づき振動するフォーカスアシスト装置とからなる撮像システムであって、
前記撮像装置は、
光軸方向に進退することにより、被写体像のフォーカス状態を変化させるフォーカスレンズを含み、被写体像を撮像する撮像部と、
前記撮像部の出力を画像処理し、画像信号を出力するとともに、合焦情報を抽出する画像処理部と、
前記画像処理部の出力する画像信号を表示する表示部と、
合焦操作を受け付ける操作部と、
前記フォーカスアシスト装置に対して情報を送信する送信部と、
前記操作部による合焦操作に基づき、前記フォーカスレンズを駆動するとともに、前記画像処理部が出力する前記合焦情報を、前記送信部を用いて送信する制御部と、
を備え、
前記フォーカスアシスト装置は、
前記撮像装置が送信する情報を受信する受信部と、
前記受信部で受信した前記合焦情報に基づき、振動を変化させる振動情報に変換する変換部と、
前記振動情報に基づき振動する振動部と、
を備える撮像システム。
【請求項２】
前記変換部は、
前記合焦情報の合焦度合いが高いほど、振動周波数を高くする前記振動情報に変換する
請求項１に記載の撮像システム。
【請求項３】
前記変換部は、
前記合焦情報の合焦度合いが高いほど、振動強度を高くする前記振動情報に変換する
請求項１に記載の撮像システム。
【請求項４】
前記変換部は、
前記合焦情報の合焦度合いに応じて、振動する位置を変化させる前記振動情報に変換し、
前記振動部は、
前記振動情報に基づき、振動する位置を変更して振動させる
請求項１に記載の撮像システム。
【請求項５】
被写体像を撮像する撮像装置が送信する合焦状態を表す合焦情報に基づき、振動するフォーカスアシスト装置であって、
前記撮像装置が送信する情報を受信する受信部と、
前記受信部で受信した前記合焦情報に基づき、振動を変化させる振動情報に変換する変換部と、
前記振動情報に基づき振動する振動部と、
を備えるフォーカスアシスト装置。
【請求項６】
前記変換部は、
前記合焦情報の合焦度合いが高いほど、振動周波数を高くする前記振動情報に変換する
請求項５に記載のフォーカスアシスト装置。
【請求項７】
前記変換部は、
前記合焦情報の合焦度合いが高いほど、振動強度を高くする前記振動情報に変換する
請求項５に記載のフォーカスアシスト装置。
【請求項８】
前記変換部は、
前記合焦情報の合焦度合いに応じて、振動する位置を変化させる前記振動情報に変換し、
前記振動部は、
前記振動情報に基づき、振動する位置を変更して振動させる
請求項５に記載のフォーカスアシスト装置。
【発明の詳細な説明】
【技術分野】
【０００１】
本発明は、撮影者に合焦状態を通知する撮像システム及びフォーカスアシスト装置に関するものであり、より具体的には撮影時に、振動により合焦状態を撮影者に通知する撮像システム及びフォーカスアシスト装置に関する。
【背景技術】
【０００２】
従来、デジタルスチルカメラやデジタルビデオカメラ等の撮像装置において、撮影者は、ビューファインダ上に表示された合焦状態を示すグラフ表示等を用いて、合焦状態を判断していた。
【０００３】
特許文献１では、撮像光学系を介して入射する被写体光像を光電変換する受光手段と、この受光手段からの出力信号に基づいて合焦状態を検出する合焦状態検出手段と、該合焦状態検出手段によって検出された合焦状態の遷移状態を表示する合焦状況表示手段とを備え、合焦状況表示手段は合焦状態をバーグラフで表示することにより、被写体へのピントの合い具合いを確認でき、マニュアル操作で確実にピント合わせを行うことができるカメラ装置が開示されている。
【先行技術文献】
【特許文献】
【０００４】
【特許文献１】特開平６−１１３１８４号公報
【発明の概要】
【発明が解決しようとする課題】
【０００５】
しかしながら、上記従来の技術では、ビューファインダ上にグラフ表示等を行うため、撮影時に撮影画面の一部がグラフ表示等により見えなくなり、撮影の妨げになるという課題がある。
【課題を解決するための手段】
【０００６】
上記課題を解決するために、本発明の撮像システムは、被写体像を撮像する撮像装置と、前記撮像装置の合焦状態に基づき振動するフォーカスアシスト装置とからなる撮像システムであって、前記撮像装置は、光軸方向に進退することにより、被写体像のフォーカス状態を変化させるフォーカスレンズを含み、被写体像を撮像する撮像部と、前記撮像部の出力を画像処理し、画像信号を出力するとともに、合焦情報を生成する画像処理部と、前記画像処理部の出力する画像信号を表示する表示部と、合焦操作を受け付ける操作部と、前記フォーカスアシスト装置に対して情報を送信する送信部と、前記操作部による合焦操作に基づき、前記フォーカスレンズを駆動するとともに、前記画像処理部が出力する前記合焦情報を、前記送信部を用いて送信する制御部と、を備え、前記フォーカスアシスト装置は、前記撮像装置が送信する情報を受信する受信部と、前記受信部で受信した前記合焦情報に基づき、振動を変化させる振動情報に変換する変換部と、前記振動情報に基づき振動する振動部と、を備える。
【発明の効果】
【０００７】
上記構成によって、撮像システムは、撮影の妨げとなることなく撮影者に合焦情報を伝えることができる。
【図面の簡単な説明】
【０００８】
【図１】第１の実施の形態における撮像システムの構成を示す図
【図２】第１の実施の形態におけるフォーカスアシスト装置の構成を示すブロック図
【図３】第１の実施の形態における撮像装置の構成を示すブロック図
【図４】第１の実施の形態における撮像システムの動作を示すフローチャート
【発明を実施するための形態】
【０００９】
実施の形態について、図面を用いて詳細に説明する。
【００１０】
（実施の形態１）
（１−１．撮像システムの構成）
図１は、本実施の形態１における撮像システムの構成を示す図である。撮像システム１００は撮像装置１０１とフォーカスアシスト装置１０２とから構成され、撮像装置１０１とフォーカスアシスト装置１０２とは無線あるいは有線で情報を伝達する。
【００１１】
図２は、フォーカスアシスト装置１０２の構成を示すブロック図である。フォーカスアシスト装置１０２は、受信部２０１と変換部２０２と振動部２０３とから構成される。
【００１２】
受信部２０１は、無線であれば、例えば赤外線通信の受光部と通信データ解析部を有し、撮像装置１０１から送信された赤外線を受光し、データ解析を行い、受信データからフォーカスデータを取得し、変換部２０２に送る。受信部２０１は、有線であれば、例えばＵＳＢケーブルの接続コネクタと通信データ解析部を有し、撮像装置１０１から送信されたＵＳＢデータを受信し、データ解析を行い、受信データからフォーカスデータを取得し、変換部２０２に送る。受信部２０１は、赤外線通信やＵＳＢの他にも、無線ＬＡＮやシリアル通信の通信方法に対応するものであってもよい。
【００１３】
変換部２０２は、ＣＰＵを有し、受信部２０１から送られてきたフォーカスデータを振動データに変換し、振動部２０３に送信する。
【００１４】
振動部２０３は、例えば振動モーターを有し、変換部２０２から送られてきたデータに応じた周波数で振動を繰り返す。
【００１５】
図３は、撮像装置１０１の構成を示すブロック図である。撮像装置１０１は、撮像部３０１と画像処理部３０２と表示部３０３と操作部３０４と制御部３０５と送信部３０６とから構成される。
【００１６】
撮像部３０１は、被写体像を電気信号に変換し画像データとして画像処理部３０２に送るとともに、被写体像のフォーカス状態を変化させるフォーカスレンズを含み、フォーカスレンズは制御部３０５からの情報により、フォーカス状態を変化させる。
【００１７】
画像処理部３０２は、撮像部３０１から送られてきた画像データを表示信号に変換し表示部３０３に送るとともに、画像データから高周波成分を抽出し周波数分布情報を合焦状態を示す合焦情報として、制御部３０５に送る。
【００１８】
表示部３０３は、画像処理部３０２から送られてきた映像信号を表示する。表示部３０３は、例えば液晶であってもよく、ブラウン管であってもよく、有機ＥＬであってもよい。
【００１９】
操作部３０４は、フォーカス操作を受け付けて制御部３０５に操作情報を送る。操作部３０４は、回転リングや回転ダイヤルであってもよく、ボタンスイッチであってもよく、スライド式や回転式のボリュームであってもよい。また、操作部３０４は、撮像装置１０１上に実装されたものに限らず、有線や無線を用いて撮像装置１０１と通信するリモコンに備え付けられた回転リングや回転ダイヤルであってもよく、ボタンスイッチであってもよく、スライド式や回転式のボリュームであってもよい。
【００２０】
制御部３０５は、ＣＰＵを有し、操作情報に基づきフォーカス状態を変化させる情報を撮像部３０１に送るとともに、画像処理部３０２から送られてきた合焦情報を送信部３０６に送る。
【００２１】
送信部３０６は、無線であれば、例えば赤外線通信の送光部と通信データ作成部を有し、合焦情報を赤外線でフォーカスアシスト装置１０２に送信する。送信部３０６は、有線であれば、例えばＵＳＢコネクタと通信データ作成部を有し、合焦情報をＵＳＢデータとしてフォーカスアシスト装置１０２に送信する。送信部３０６は、赤外線通信やＵＳＢの他にも、無線ＬＡＮやシリアル通信の通信方式に対応するものであってもよい。
【００２２】
（１−２．撮像システムの動作）
図４は、本実施の形態１における撮像システムの動作を示すフローチャートである。
【００２３】
操作部３０４に含まれるフォーカスリングが操作されると、操作情報が制御部３０５に送られ、制御部３０５はフォーカスリングの動きを検出する（Ｓ４０１）。
【００２４】
制御部３０５は、検出したフォーカスリングの動きに基づき、撮像部３０１に含まれるフォーカスレンズを動かすための制御信号を撮像部３０１に送信する。撮像部３０１は、フォーカスレンズを動かすための制御信号に従ってフォーカスレンズを光軸方向に進退させる（Ｓ４０２）。
【００２５】
撮像部３０１から画像処理部３０２に送られる画像データは、フォーカスレンズが動くことで変化する。画像処理部３０２は画像データから高周波成分を取り出し、周波数分布情報を制御部３０５に送信する（Ｓ４０３）。
【００２６】
制御部３０５は、周波数分布情報から高い周波数の度数が最も多ければ最も大きい値、例えば５という値に、高い周波数の度数が少なくなるにつれて段階的に値が小さくなる、例えば４、３、２というように小さくなり、高い周波数の度数が最も少ないときは１という値であるフォーカスデータに変換する（Ｓ４０４）。制御部３０５は、フォーカスデータを送信部３０６に送る。周波数分布情報において高い周波数の度数が多ければ多いほど、合焦状態は良好であることから、フォーカスデータが大きい値であるほど合焦状態は良好であるといえる。
【００２７】
送信部３０６は、フォーカスデータをフォーカスアシスト装置１０２に無線あるいは有線で送信する（Ｓ４０５）。
【００２８】
フォーカスアシスト装置１０２は、撮像装置１０１から無線あるいは有線で送られてきたフォーカスデータを受信部２０１で受信すると変換部２０２にフォーカスデータを送る（Ｓ４０６）。
【００２９】
変換部２０２は、フォーカスデータが大きい値なら高い周波数で、値が小さくなるにつれて段階的に低い周波数で振動部２０３を振動させるためのデータに変換して、振動部２０３にデータを送信する（Ｓ４０７）。例えばフォーカスデータが５なら振動周波数が４Ｈｚで、フォーカスデータが４なら２Ｈｚで、フォーカスデータが１なら振動周波数が０．２５Ｈｚというようにする。
【００３０】
振動部２０３は、送られてきたデータに応じて高い周波数や低い周波数で振動を繰り返す（Ｓ４０８）。
【００３１】
（１−３．まとめ）
以上のように、撮像装置は、合焦状態を示す合焦情報をフォーカスアシスト装置に送信し、フォーカスアシスト装置は、受信した合焦情報に基づき、異なる周波数で振動することによって、撮影者は、振動周波数によって、合焦状態を把握することができる。これにより、撮影している映像や音声を確認するための映像信号や音声信号に合焦情報が重畳され、本来の映像や音声の妨げとなることを防ぐことができ、撮影者の利便性を向上することができる。
【００３２】
（実施の形態２）
実施の形態２における撮像システムの構成は、図１から図３に示す構成と同一であり、説明を省略する。
【００３３】
実施の形態２における撮像システムの動作について、実施の形態１との相違点を、図４に示すフローチャートを用いて説明する。Ｓ４０７において、フォーカスアシスト装置１０２の変換部２０２は、受信部２０１から送られてきたフォーカスデータが大きい値なら振動強度を高く、フォーカスデータが小さい値になるにつれて段階的に振動強度を低く、振動部を振動させるためのデータに変換し振動部２０３にデータを送信する。
【００３４】
振動部２０３は、受信したデータに従い、強く振動したり弱く振動したりする（Ｓ４０８）。
【００３５】
以上のように、フォーカスアシスト装置は、受信した合焦情報に基づき、異なる振動強度で振動することによって、撮影者は、振動強度によって、合焦状態を把握することができ、撮影者の利便性を向上することができる。
【００３６】
（実施の形態３）
実施の形態３における撮像システムの構成は、図１から図３に示す構成と、フォーカスアシスト装置１０２が振動部２０３を複数有する点を除き同一であり、説明を省略する。
【００３７】
実施の形態３における撮像システムの動作について、実施の形態１との相違点を、図４に示すフローチャートを用いて説明する。Ｓ４０７において、フォーカスアシスト装置１０２の変換部２０２は、受信部２０１から送られてきたフォーカスデータの値によって振動させる振動部２０３を選択し、選択した振動部２０３のみにデータを送信する。例えば、フォーカスアシスト装置１０２が振動部２０３を５個有し、それぞれが一列に配置されている場合に、変換部２０２は、一列に配置された振動部２０３のうち、フォーカスデータが１なら１番目の振動部へ、フォーカスデータが３なら３番目の振動部へ、それぞれ送信する。
【００３８】
データを受信した振動部２０３のみが振動する（Ｓ４０８）。
【００３９】
以上のように、フォーカスアシスト装置は複数の振動部を有し、受信した合焦情報に基づき、異なる振動部が振動することによって、撮影者は、複数の振動部のうち、いずれの振動部が振動するかによって、合焦状態を把握することができ、撮影者の利便性を向上することができる。
【産業上の利用可能性】
【００４０】
上述の撮像システムは、撮影時の画像の妨げとなることなく、合焦状態を撮影者に伝えることができ、デジタルスチルカメラやデジタルビデオカメラ等の撮像装置に適用することができ、有用である。
【符号の説明】
【００４１】
１００  撮像システム
１０１  撮像装置
１０２  フォーカスアシスト装置
２０１  受信部
２０２  変換部
２０３  振動部
３０１  撮像部
３０２  画像処理部
３０３  表示部
３０４  操作部
３０５  制御部
３０６  送信部
【図１】
2011091659.tif 000003
【図２】
2011091659.tif 000004
【図３】
2011091659.tif 000005
【図４】
2011091659.tif 000006